(57)【要約】【課題】従来のネズミ捕獲器は、捕獲器を置いた床面との間が平面的に設置されるため、外部から入口を通り、水や埃の侵入が起きやすく、長期間置いて置くと、餌の変性や腐敗などが起きやすく、捕獲器としての精度が低下する課題があった。【解決手段】複数の入口用開口部２を有し床面に凹み部４を有する箱状体から成り、各入口用開口部２から凹み部４に至る通路５にそれぞれ登り斜面を設け、凹み部４に誘引餌又は粘着剤を選択的に設置可能であるネズミ等の捕獲器による。また各入口用開口部２に、その入口形状を変形させ得る付属扉６を着脱自在に設けている前記ネズミ等の捕獲器による。【選択図】図１
2010098977.tif 000002
【特許請求の範囲】
【請求項１】
複数の入口用開口部を有し床面に凹み部を有する箱状体から成り、各入口用開口部から凹み部に至る通路にそれぞれ登り斜面を設け、凹み部に誘引餌又は粘着剤を選択的に設置可能であることを特徴とするネズミ等の捕獲器。
【請求項２】
各入口用開口部に、その入口用開口部の形状を変形させ得る付属扉を着脱自在に設けている請求項１に記載されるネズミ等の捕獲器。
【請求項３】
箱状体の上面が、本体に対して開閉自在であり、閉鎖時には鍵を掛けて開放不能とする請求項１又は請求項２に記載のネズミ等の捕獲器。
【請求項４】
箱状体の上面に開閉自在の覗き窓を設けた請求項１又は請求項２又は請求項３に記載のネズミ等の捕獲器。
【発明の詳細な説明】
【技術分野】
【０００１】
この発明は、ネズミ等の有害小動物を捕獲するネズミ等の捕獲器に関する。
【背景技術】
【０００２】
ネズミ等の捕獲器は、様々な形状や機能を有するものが公知である。例えば特開２００１−３７３９９号公報（従来技術１）には、「箱形に形成された捕獲器本体１の両端板１ａと両側板１ｃ及び上面板１ｂの少なくとも２面に、１個以上の侵入口２を開口し、かつ両端板１ａや両側板１ｃに開口された侵入口２には筒体３を接続してトンネル状に形成すると共に、上記捕獲器本体１内に、ネズミを粘着する粘着手段４を設けたもので、侵入口２が多いため、捕獲効率が向上すると共に、侵入口２より捕獲器本体１内が見通せないため、警戒心の強いネズミでも容易に捕獲することができる」ネズミ捕獲器が開示されている。
【０００３】
また、特開２００１−２５８４６１号公報（従来技術２）には、「近年ネズミが増え増え続けている、ネズミを一度に少しでも多く捕獲でき、捕獲したネズミが傍目にわからないうちに処分できるネズミ捕獲器 」の開示があり、その構成は「 容器の一側面に取り出し口２を欠切し、該側面に蓋６を嵌入する軌条を設け、他の側面に進入口３を欠切し筒４を直結し該筒は容器の内部に連通している、進入口３から中に入ったネズミは筒４に設けた鋭角な削成部４１に阻まれ逃げることが出来ず捕獲できる」ネズミ捕獲器である。
【０００４】
更に、特開２００６−２５４９２３号公報（従来技術３）には、「箱形に形成された捕獲器本体１の上面板１ｂに、１個以上の侵入口２を開口し、上記捕獲器本体１内に、ネズミを粘着する粘着手段４を設けたもので、捕獲効率が向上すると共に、侵入口２より捕獲器本体１内が見通せないため、警戒心の強いネズミでも容易に捕獲することができる」ネズミ捕獲器の開示がある。
【０００５】
更に又、特開２００７−１１７０７０号公報（従来技術４）には、「ネズミがネズミ捕獲器入口から入りやすくし、入った後閉じこめるドアが簡単に作動するようにし、さらに捕獲したネズミを簡単に処理することが可能なネズミ捕獲器 」であり、「ネズミ捕獲器 入口を左右２箇所にしさらに天井を高くし、入ったネズミがシーソー方式の板に触れるとネズミ捕獲器のドアが簡単にスライドして閉まりネズミを捕獲する。その後、ネズミ捕獲器の入口に設けたネズミ誘導パイプにネズミを閉じこめ、ネズミ誘導パイプを外し、ネズミ誘導パイプを水につけてネズミを処理するようにしたネズミ捕獲器」が開示されている 。
【０００６】
更に、特開２００７−２７４９１９号公報（従来技術５）には、「この筺体の開口部を閉塞する扉とを備えたネズミ捕獲器であって、上記扉が、上記開口部の内側方向に開くように上記筺体に回動自在に取り付けられており、また、上記扉が上記開口部の外側方向に開くことを規制する外開き規制手段を備えたことを特徴とするネズミ捕獲器」も開示がある 。
【特許文献１】特開２００１−３７３９９号公報（従来技術１）
【特許文献２】特開２００１−２５８４６１号公報（従来技術２）
【特許文献３】特開２００６−２５４９２３号公報（従来技術３）
【特許文献４】特開２００７−１１７０７０号公報（従来技術４）
【特許文献５】特開２００７−２７４９１９号公報（従来技術５）
【発明の開示】
【発明が解決しようとする課題】
【０００７】
従来のネズミ捕獲器は、捕獲器を置いた床面との間が平面的に設置されるため、外部から入口を通り、水や埃の侵入が起きやすく、長期間置いて置くと、餌の変性や腐敗などが起きやすく、捕獲器としての精度が低下する課題があった。
【０００８】
また、有毒又は無毒の誘引餌を置きそれによって捕獲する装置と、粘着剤などの粘着手段によって捕獲する装置が知られているが、それら双方の装置を選択的に使用できる装置は知られておらず、置く場所などによって不便な場合があった。
【０００９】
更に、入口が決まった位置や形状であると、捕獲箱内を置きたい場所によっては入口のどちらかが隠されてしまったり、入口が直線的に成ることによって捕獲対象の小動物が入りにくくなる課題があった。
【００１０】
更に又、箱状体の上面等の一面が開閉自在の場合、子供等の第三者が誤って開けてしまうような事故が起こる課題があった。
【００１１】
更に、捕獲器の設置後、箱状体の中を確認する手段が無いため、捕獲後の処置が長期間行えず不衛生になる課題があった。
【課題を解決するための手段】
【００１２】
上記課題を解決するため、複数の入口用開口部を有し床面に凹み部を有する箱状体から成り、各入口用開口部から凹み部に至る通路にそれぞれ登り斜面を設け、凹み部に誘引餌又は粘着剤を選択的に設置可能であることを特徴とするネズミ等の捕獲器を提案する。
【００１３】
また、各入口用開口部に、その入口用開口部の形状を変形させ得る付属扉を着脱自在に設けている００１２欄に記載されるネズミ等の捕獲器を提案する。
【００１４】
更に、箱状体の上面が、本体に対して開閉自在であり、閉鎖時には鍵を掛けて開放不能とする００１２欄又は００１３欄に記載のネズミ等の捕獲器を提案する。
【００１５】
更に又、箱状体の上面に開閉自在の覗き窓を設けた００１２欄又は００１３又は００１４欄に記載のネズミ等の捕獲器を提案する。
【発明の効果】
【００１６】
この発明によれば、餌やトラップを置く凹み部がある床面が入口用開口部より高い位置にあるため、水や埃が床面にある餌やトラップにまで侵入しないため、餌の変性や腐敗などが起きにくく清潔感を長く保つことができる。
【００１７】
更に、入口用開口部の形状を変形させ得る付属扉を着脱自在に設けているため、捕獲箱の設置場所によって入口の位置を変えることができる。また２箇所の入口を直線状とすることと、対角線状とすることの選択ができる効果がある。
【００１８】
更に又、箱状体の上面が、本体に対して開閉自在であり、閉鎖時には鍵を掛けて開放不能とすることにより子供等の第三者が誤って開けてしまうような事故が起こることがない。
【００１９】
更に、箱状体の上面に開閉自在の覗き窓を設けることによって捕獲器の設置後、箱状体の中を容易に確認することができ、捕獲後の処置を容易に行える。
【発明を実施するための最良の形態】
【００２０】
この発明を好ましい実施形態を示す斜視図であり付属扉が設置前である図１、同じく斜視図であり付属扉を設置し上面を開放した状態である図２、鍵の斜視図である図３に基づいて説明する。
【００２１】
この発明のネズミ等の捕獲器は、略直方体からなる箱状体からなり、箱状体の複数の側壁部１に複数の入口用開口部２、この実施形態では対面する側壁部１、１にそれぞれ１つずつ２つの入口用開口部２、２を有している。それぞれの入口用開口部２の形状は壁部１の下方の大半を開口してなる長方形からなる。
【００２２】
箱状体の床部３の床面には、２つの入口用開口部２，２との間、ほぼ中間部分に設けられる凹み部４と、各入口用開口部２、２から凹み部４に至る通路５、５を形成するとともに、各通路５、５は図４に示されるようにそれぞれ入口用開口部２，２から凹み部４までの間に登り斜面５ａを設けている。
【００２３】
床部３の凹み部４には、誘引餌又は粘着剤又はトラップを選択的に設置することが可能である。また床部３の底面側には固定部３０を設けており、ボルトなどによって箱状体自体を設置床面に固定することが可能である。
【００２４】
また、対面する各入口用開口部２、２に、その入口形状を変形させ得る付属扉６、６を着脱自在に設けている。この実施形態では付属扉６、６の形状は２つの入口用開口部２、２と略同じ長方形であり、それぞれ左下部を扇状（四半分円形）に切欠してなる入口孔６ａを形成しているが、四半分長方形でもよい。付属扉６、６は、この実施形態では壁部１、１の上方から落とし込み入口用開口部２，２の形状を変更している。付属扉６、６は箱状体内側の入口用開口部２，２の両側に設けた溝２０に落とし込む。
【００２５】
箱状体の上面７は、互いに直角を成す４つの側壁部１と床部４からなる本体に対して蝶番によって開閉自在であり、閉鎖時には上面７と一つの側壁部１との間に鍵８を掛けて開放不能とする。鍵８は、図３に示すように上面７に設けたＵ字体８０と、一つの側壁部１に設け側外方に突出する凸部８１を中央に設けた直方体状のＵ字受け部８２と、独立したＵ字くさび部８３とからなる。Ｕ字受け部８２の側外方へ突出する高さは、Ｕ字体８０の厚さより高く、その間に先端が薄く基部側へ向かって徐々に厚くなる斜面を有するＵ字くさび部８３が先端から挿入可能である。
【００２６】
箱状体の上面７には、上面７に対して開閉自在の覗き窓９を設けている。上面７の裏面側に引っ掛け部７０を設けている。引っ掛け部７０には餌などを吊すことができる。
【００２７】
次に、この発明の実施形態であるネズミ等の捕獲器の作用について説明する。ネズミ等の捕獲器である箱状体は設置場所に置き、床部３の固定部３０によって設置場所に固定される。上面７を図２のように開け凹み部４に毒餌等を置くか、粘着剤を置くか、トラップ等を選択して置く。
【００２８】
更に対面する入口用開口部２，２の上方から溝２０，２０に付属扉６、６を落とし込む。このとき付属扉６の左下部の四半分円形状の入口孔６ａ、６ａを直線状に構成してもよく、対角線状に構成してもよい。
【００２９】
箱状体内部に餌等と付属扉６をセットした後、上面７を閉鎖し、鍵８を閉める。鍵８は、上面７のＵ字体８０をＵ字受け部８２に挿入し、凸部８１に係止することでＵ字体８０が上方へ抜けることを防ぎ、更に独立したＵ字くさび部８３を下方より挿入して固定することによって閉鎖し容易には開閉しない。
【００３０】
設置後の箱状体の内部の観察は、上面７に設けた覗き窓９を開放して見ることが容易である。
【産業上の利用可能性】
【００３１】
この発明は、ネズミ等の小害動物を捕獲する装置として利用する。
【図面の簡単な説明】
【００３２】
【図１】この発明の一つの実施形態を示し付属扉が設置前である斜視図
【図２】同じく付属扉を設置し上面を開放した状態である斜視図
【図３】鍵の斜視図
【図４】この発明のネズミ等の捕獲器の登り斜面を示す側面説明図
【符号の説明】
【００３３】
１  側壁部
２  入口用開口部
２０  溝部
３  床部
４  凹み部
５  通路
５ａ  登り斜面
６  付属扉
６ａ  入口孔
７  上面
７０  引っ掛け部
８  鍵
８０  Ｕ字体
８１  凸部
８２  Ｕ字受け部
８３  Ｕ字くさび部
９  覗き窓
【図１】
2010098977.tif 000003
【図２】
2010098977.tif 000004
【図３】
2010098977.tif 000005
【図４】
2010098977.tif 000006